(57)【要約】【課題】  比較的簡単な構成にて、便座の表面を確実に除菌する事を目的とするものである。【解決手段】  本体ケース３に、便座４とこの便座を被覆する便蓋５とを開閉自在に枢支すると共に、上記本体ケースに、人体の局部に向けて洗浄水を噴射する洗浄ノズル６と、この洗浄ノズルに洗浄水を供給する洗浄水供給手段と、上記便座の表面に洗浄水を噴射する便座洗浄ノズル２２とを設けたものにおいて、上記洗浄水供給手段の適所に銀イオン発生装置１８を接続し、この銀イオン発生装置にて生成したイオン水を上記便座洗浄ノズルより便座の表面に向けて噴射して成る。【選択図】        図１
2005120674.tif 000002
【特許請求の範囲】
【請求項１】
本体ケースに、便座とこの便座を被覆する便蓋とを開閉自在に枢支すると共に、上記本体ケースに、人体の局部に向けて洗浄水を噴射する洗浄ノズルと、この洗浄ノズルに洗浄水を供給する洗浄水供給手段と、上記便座の表面に洗浄水を噴射する便座洗浄ノズルとを設けたものにおいて、上記洗浄水供給手段の適所に銀イオン発生装置を接続し、この銀イオン発生装置にて生成したイオン水を上記便座洗浄ノズルより便座の表面に向けて噴射する事を特徴とする衛生洗浄便座。
【請求項２】
上記便座への着座、或いは便座周囲の人体の有無を検出する人センサを設け、この人センサにより人体の便座からの離座を検出すると、上記便座洗浄ノズルよりイオン水を所定時間噴射する事を特徴とする、上記請求項１に記載の衛生洗浄便座。
【請求項３】
上記便蓋を開閉駆動する駆動手段を設けると共に、人センサにより便座からの離座を検出すると、上記駆動手段により便蓋を閉じた後、上記便座洗浄ノズルよりイオン水を所定時間噴射する事を特徴とする、上記請求項１〜２に記載の衛生洗浄便座。
【請求項４】
上記本体ケースの適所に上記便座に着座した人体の局部に温風を送風する乾燥ヒータを設けると共に、人センサにより便座からの離座を検出すると上記駆動手段により便蓋を閉じた後、上記便座洗浄ノズルよりイオン水を所定時間噴射し、その後上記乾燥ヒータより送風する事を特徴とする、上記請求項３に記載の衛生洗浄便座。
【請求項５】
上記本体ケースの上記便蓋を閉じた時に便座と便蓋との間に対向する位置に開口を設け、この開口内に上記便座洗浄ノズルを配設すると共に、上記開口に便蓋の開閉に連動して開閉するシャッタを配設した事を特徴とする、上記請求項１〜４に記載の衛生洗浄便座。
【発明の詳細な説明】
【技術分野】
【０００１】
本発明は、主に洋式便器に装着して使用され、便座に着座した人体の肛門等に向けて洗浄水を噴出する噴出ノズルを備えた衛生洗浄便座に関する。
【背景技術】
【０００２】
肛門等に向けて洗浄水を噴出する局部洗浄ノズルを備えた衛生洗浄便座では、例えば特許文献１に示される様に、便座と便蓋の間に、便座の上面に向けて洗浄水を放出する洗浄ノズルを設けたものや、例えば特許文献２に示される様に、ケーシング６の消毒液噴霧装置１０を内装したものがある。
【特許文献１】特許第３０７４９０９号公報
【特許文献２】特開２００２−３６４０５５号公報
【発明の開示】
【発明が解決しようとする課題】
【０００３】
上記前者の構成の場合、便座と便蓋の間に便座洗浄ノズル９や便座乾燥ノズル１０を配設している為、該部の部品配置が複雑となり、部品点数の増加によるコストアップを招くと共に、便座や便蓋の手拭による掃除が行い難いという問題がある。
【０００４】
又、後者の構成の場合、殺菌手段を消毒液噴霧装置と殺菌灯装置で構成している為、便蓋の内部に殺菌灯装置１１を配設する必要があり、殺菌灯の設置によって便蓋の内部が複雑となり、便座や便蓋の掃除が行い難いという問題がある。
【０００５】
そこで本発明は、銀イオンを溶出した洗浄水を便座の表面に噴霧するのみで、比較的簡単な構造にて確実に便座表面を除菌する事を目的とするものである。
【課題を解決するための手段】
【０００６】
本発明の請求項１の構成は、本体ケースに、便座とこの便座を被覆する便蓋とを開閉自在に枢支すると共に、本体ケースに、人体の局部に向けて洗浄水を噴射する洗浄ノズルと、この洗浄ノズルに洗浄水を供給する洗浄水供給手段と、便座の表面に洗浄水を噴射する便座洗浄ノズルとを設けたものにおいて、洗浄水供給手段の適所に銀イオン発生装置を接続し、この銀イオン発生装置にて生成したイオン水を便座洗浄ノズルより便座の表面に向けて噴射して成るものである。
【０００７】
本発明の請求項２の構成は、請求項１の構成において、便座への着座、或いは便座周囲の人体の有無を検出する人センサを設け、この人センサにより人体の便座からの離座を検出すると、便座洗浄ノズルよりイオン水を所定時間噴射するものである。
【０００８】
本発明の請求項３の構成は、請求項１〜２の構成において、便蓋を開閉駆動する駆動手段を設けると共に、人センサにより便座からの離座を検出すると、駆動手段により便蓋を閉じた後、便座洗浄ノズルよりイオン水を所定時間噴射するものである。
【０００９】
本発明の請求項４の構成は、請求項３の構成において、本体ケースの適所に便座に着座した人体の局部に温風を送風する乾燥ヒータを設けると共に、人センサにより便座からの離座を検出すると駆動手段により便蓋を閉じた後、便座洗浄ノズルよりイオン水を所定時間噴射し、その後乾燥ヒータより送風するものである。
【００１０】
本発明の請求項５の構成は、請求項１〜４の構成において、本体ケースの便蓋を閉じた時に便座と便蓋との間に対向する位置に開口を設け、この開口内に便座洗浄ノズルを配設すると共に、開口に便蓋の開閉に連動して開閉するシャッタを配設したものである。
【発明の効果】
【００１１】
本発明の請求項１に記載の構成により、本体ケースに設けた便座洗浄ノズルより、銀イオン発生装置により生成したイオン水を便座の表面に噴射することで、比較的簡単な構造により、銀イオン水の作用にて便座の表面を除菌洗浄する事が出来るものである。
【００１２】
本発明の請求項２に記載の構成により、人センサにより便座周囲の人体の有無を検出し、用便等が終わって人体が便座より離れた後、便座洗浄ノズルより便座表面に銀イオン水を噴射する様に構成したことで、便座の使用後には常に銀イオン水にて便座の表面を除菌洗浄し、便座を常に清潔な状態にて使用する事が出来るものである。
【００１３】
本発明の請求項３に記載の構成により、人センサにより人体の便座からの離座を検出すると、便蓋を閉じた後便座洗浄ノズルより便座表面に銀イオン水を噴射する様に構成したことで、便蓋により便座洗浄ノズルから噴射した銀イオン水の周囲への拡散を防止し、便座の表面全体に確実に銀イオン水を付着して、便座の表面を除菌洗浄する事が出来るものである。
【００１４】
本発明の請求項４に記載の構成により、人体の便座からの離座を検出すると、便座洗浄ノズルより便座の表面に銀イオン水を噴射した後、人体の局部を乾燥する乾燥ヒータより送風する様に構成し、便座表面に付着した銀イオン水を乾燥ヒータの温風により短時間に乾燥する様に構成したことで、連続して便座を使用する場合にも、極力便座表面を乾燥状態に維持する事が出来るものである。
【００１５】
本発明の請求項５に記載の構成により、便座洗浄ノズルを臨ませた開口に、便蓋の開閉に連動して開閉するシャッタを設けたことで、用便時にはシャッタにて開口を閉塞し、開口部から本体ケース内への水等の浸入を防止すると共に、洗浄ノズルへの尿等の付着による汚れを防止する事が出来るものである。
【発明を実施するための最良の形態】
【００１６】
本発明の実施例を先ず図１及び図２に基づき説明すると、１は洋式便器２の上に着脱自在或いは着脱可能に載置された衛生洗浄便座で、本体ケース３に便座４と便蓋５とを上下方向に開閉自在に枢支している。
【００１７】
又、上記本体ケース３内には、例えば図２及び図３にて示す様に、上記便座４に着座した人体の局部に向けて洗浄水を噴出する洗浄ノズル６，６を伸縮自在に収納配置している。
【００１８】
更に上記本体ケース３内には、図４にても示す様に、内部に湯沸用ヒータ７を装着した貯湯タンク８と、このタンクに水道水を給水する給水配管９と、上記洗浄ノズル６，６とを主に収納配置している。
【００１９】
そして上記給水配管９は、図１にて示すフレキシブルな配管ホース１０、分岐水栓１１を介して市水等の水道管１２に接続していると共に、ストレーナ１３、逆止弁１４、止水用電磁弁１５、減圧弁１６、流量調節弁１７、銀イオン発生器１８を順次装着している。
【００２０】
又、上記洗浄ノズル６，６は、上記流量調節弁１７に一体に形成された切換弁１９を介して貯湯タンク８内に接続していると共に、これら流量調節弁１７と切換弁１９はモータ２０により回転駆動され、上記貯湯タンク８、給水配管９、ストレーナ１３、逆止弁１４、止水用電磁弁１５、減圧弁１６、流量調節弁１７、切換弁１９等により洗浄水供給手段を構成している。
【００２１】
一方、上記切換弁１９には、便座洗浄流路２１が分岐接続されていると共に、この便座洗浄流路の先端には便座洗浄ノズル２２を接続し、かつこの便座洗浄ノズルは、上記図３にて示す様に、本体ケース３前面の便座４と便蓋５間に対向位置して穿孔した開口２３内に配設し、上記切換弁１９の切換えにより便座洗浄流路２１が貯湯タンク８内に連通されると、上記銀イオン発生器１８により生成された銀イオン水をその先端より便座４の表面に向けて霧状に噴射する様に構成している。
【００２２】
尚、上記湯沸用ヒータ７、止水用電磁弁１５、銀イオン発生器１８、モータ２０等への通電制御は制御回路２４により行い、かつこの制御回路は、例えば本体ケース３の天面に装着した赤外線センサや超音波センサ等で構成した人センサ２５により人体の接近を検出すると、駆動手段２６により便蓋５を開き、かつ人体の離座を検出すると、駆動手段２６を作動して便蓋５を閉じると共に、上記切換弁１９を切換えて便座洗浄ノズル２２より便座４の表面に向けて銀イオン水を噴射する様に構成している。
【００２３】
又、上記開口２３には、便蓋５の開閉に連動してこの開口を開閉するシャッタ２７を装着していると共に、このシャッタを上記駆動手段２６又は図示しない連動機構により開閉駆動し、図１及び図２に示す様に便蓋５が開いている時にはシャッタ２７を閉塞し、図３にて示す様に便蓋５が閉じるとシャッタ２７を開く様に構成している。
【００２４】
これらの構成により、洗浄ノズル６，６より噴出された洗浄水が人体のおしり等に当たって跳ね返った水等の開口２３内の浸入を防止し、浸入による本体ケース３内に配置された回路部品の短絡や、機構部品の腐蝕を防止する事が出来るものである。
【００２５】
更に、上記本体ケース３内には、人体の局部に向けて乾燥用の温風を送風する乾燥ヒータ２８を配設し、かつその温風を吐出する送風口２９を例えば図２にて示す様に洗浄ノズル６，６に隣接して開口している。
【００２６】
一方、上記本体ケース３の右側面には操作部４０を一体に突出形成していると共に、この操作部の上面には、おしり及びビデ用洗浄スイッチ等の複数の操作スイッチ４１・・や、図示しない表示ランプ等を配設している。
【００２７】
又上記制御回路２４は、上記人センサ２５により人体の離座を検出して便座洗浄ノズル２２より、予め設定した所定時間銀イオン水を噴射した後、上記乾燥ヒータ２８を作動して送風口２９より温風を送風し、この温風により便座４の表面等に付着した銀イオン水を乾燥させる様に構成しており、これらの構成により、人体の局部等を乾燥するための乾燥ヒータ２８を利用して、銀イオン水を短時間に乾燥させることができ、比較的短時間の間に連続して便器２を利用する場合でも、銀イオン水の拭き取り作業を行わなくても便座４を使用する事が出来るものである。
【００２８】
尚、上記実施例では乾燥ヒータ２８を利用して便座４に付着した銀イオン水を乾燥させる様に構成しているが、衛生洗浄便座１に乾燥ヒータ２８を内蔵していない場合には、図示しない便座４内に内蔵した暖房ヒータに通電、或いはこの暖房ヒータの設定温度を一時的に高く設定する等により、暖房ヒータを利用して銀イオン水を乾燥する様に構成しても良い。
【００２９】
図５は上記銀イオン発生器１８の実施例を示すもので、一端３０を流量調節弁１７に接続し、他端３１を貯湯タンク８に接続する通水路３２の適所に、円柱状の銀又は銀合金により形成した金属電極３４と、この金属電極の周囲に対向位置する円弧状の例えばＳＵＳ３０４系のステンレス材にて形成した対向電極３５とを配置し、金属電極３４に＋電位、対向電極３５に−電位の直流電流を印加することで、電解作用により通水路３２を通過する洗浄水中に銀イオンを溶出する。
【００３０】
而して、用便等により人体が衛生洗浄便座１に接近すると、人センサ２５によりこれを検出して駆動手段２６を作動し、この駆動手段により便蓋５を開く。次いで人が便座４に着座して用便等が終了し、操作部４０の操作スイッチ４１・・を操作すると、制御回路２４がこれらの操作を検出して止水用電磁弁１５、モータ２０を作動して洗浄ノズル６，６のどちらか一方より洗浄水を噴出し、この洗浄水にておしり等を洗浄する。
【００３１】
又、洗浄が終了して乾燥開始操作が行われた場合には乾燥ヒータ２８を作動し、送風口２９よりおしり等に向けて温風を噴出して乾燥を行う。
【００３２】
一方、用便等が終わって便座４より離座して衛生洗浄便座１より離れると、人センサ２５によりこれを検出して駆動手段２６を作動し、便蓋５を閉じると共にシャッタ２７を開き、かつ上記銀イオン発生器１８の電極３４，３５間に所定の直流電流を印加して洗浄水中に銀イオンを溶出すると同時に止水用電磁弁１５を開き、同時にモータ２０を作動して切換弁１９を貯湯タンク８と便座洗浄ノズル２２とを接続する位置に回転駆動し、貯湯タンク８内の銀イオン水を便座洗浄ノズル２２より便座４の表面に向けて噴射し、噴射した銀イオン水により便座４の表面等を除菌し、清潔に保つ。
【００３３】
又、上記銀イオン水を所定時間便座４の表面に向けて噴射した後、乾燥ヒータ２８を作動して送風口２９より温風を噴出、或いは便蓋５の暖房温度を高める等により便座４表面の銀イオン水を乾燥することで、次に人が便座４に着座した時に銀イオン水で濡れることは無い。
【００３４】
尚、便座４の表面温度を検出、或いは湿度センサを用いる等により便座４の表面が濡れている場合に、人センサ２５により人体の接近を検出した場合には、駆動手段２６の作動を遅延して便蓋５を開かない様に構成して着座を防止し、かつ便座４表面の濡れにより便蓋５を開かない旨の表示を操作部４０等に行っても良い。
【００３５】
又、上記実施例では便座洗浄ノズル２２より洗浄水を噴射する場合のみ銀イオン水を発生する様に構成しているが、おしり等の洗浄時にも銀イオン発生器１８を作動し、銀イオン水にて局部等を洗浄する様に構成しても良く、これにより、洗浄水中に溶出した金属イオンによって、衛生洗浄便座１内の貯湯タンク７、給水配管８等の細菌の繁殖を抑制すると共に、人体の局部や洗浄ノズル等の除菌を行う事が出来るものである。
【００３６】
更に、上記実施例では人センサ２５により離座を検出すると便蓋５を閉じた後、便座洗浄ノズル２２より銀イオン水を噴射する様に構成し、便蓋５を閉じることで銀イオン水が便座４の表面全体に付着する様に構成しているが、便蓋５を閉じないで銀イオン水を噴射する様に構成しても良い。
【００３７】
又、上記実施例では、便座洗浄ノズル２２を本体ケース３の便座４と便蓋５の間に配置し、これにより本体ケース３や便蓋５の表面に凹凸が少ない構成とし、掃除等が行い易い構造としているが、これに限定されることなく、便座４の下方、便蓋５の裏側等に配置しても良い。
【図面の簡単な説明】
【００３８】
【図１】本発明の実施例を示す斜視図である。
【図２】同じく要部の斜視図である。
【図３】同じく要部の側面縦断面図である。
【図４】同じく要部の概略構成図である。
【図５】同じく銀イオン発生器の側面縦断面図である。
【符号の説明】
【００３９】
３    本体ケース
４    便座
５    便蓋
６    洗浄ノズル
１８  銀イオン発生器（銀イオン発生装置）
２２  便座洗浄ノズル
２３  開口
２５  人センサ
２６  駆動手段
２７  シャッタ
２８  乾燥ヒータ
【図１】
2005120674.tif 000003
【図２】
2005120674.tif 000004
【図３】
2005120674.tif 000005
【図４】
2005120674.tif 000006
【図５】
2005120674.tif 000007